(57)【要約】【課題】筆記状態での筆記体の損傷を防止し、フックの利便性を増すとともにその損傷を防止することも可能な筆記具を提供する。【解決手段】チップ９にリフィル１１を取付け、それをノック体１５に一体的に移動するように取付け、バネ２５でチップを格納する方向に付勢する。ノック体にフック２７を一体的に設け、このフックの中間部３１を弾性変形可能に構成する。そしてフックの先端部３３と軸本体の外周上に互いに係合可能な突起４１、４３を設ける。従ってチップに作用する衝撃、過度の力はこの中間部により吸収される。【選択図】      図１
2004195768.tif 000002
【特許請求の範囲】
【請求項１】
軸本体と、前記軸本体内に該軸本体の軸方向に移動可能に収受された筆記体と、前記軸本体の後端側に取付けられ、前記筆記体に一体移動可能に連結されたノック体と、該ノック体に一体的に形成され、前記軸本体に沿って前記ノック体から前記軸本体の先端側に向かって延びるフックと、前記筆記体を前記軸本体の後端側へ付勢する付勢部材とを備え、前記フックは、その長手方向の中間部に弾性変形可能な中間部を備え、前記フックの先端部と前記軸本体の外周上には、前記フックが前記軸本体の先端側所定の位置まで移動したときに互いに係合し、前記フックが前記軸本体の後端側へ移動するのを阻止し、該係合を外すことにより、前記フックの前記軸本体の後端側への移動を許容する係止手段が設けられていることを特徴とする、筆記具。
【請求項２】
請求項１記載の筆記具において、前記フックの中間部は、エラストマーで形成されていることを特徴とする、筆記具。
【請求項３】
請求項１記載の筆記具において、前記筆記具の中間部はコイルバネで形成されていることを特徴とする、筆記具。
【請求項４】
請求項１乃至３のいずれか１に記載の筆記具において、前記係止手段は、前記フックの先端部に形成された突起と、前記軸本体の外周上に形成された突起とで構成されていることを特徴とする、筆記具。
【発明の詳細な説明】
【０００１】
【発明の属する技術分野】
本発明は筆記具に関する。さらに詳細に言えば、ボールペンのチップ等、筆記体へ過度に作用する力を吸収することの出来る筆記具に関する。さらには、筆記体を軸本体から突出させた状態のままでポケットに格納し、クリップをポケット縁部に挟着させたときに、自動的に筆記体が軸本体内へ格納される筆記具に関する。
【０００２】
【従来の技術】
例えばボールペンで、軸本体後端部に配置されたノック体を押すことにより、ペン先を軸本体先端から突出した状態に保持して筆記し、再度ノック体を押すことによりペン先を引っ込めるタイプのものが有る。このものでは、ペン先が突出状態に保持されるので、その状態のときにペンを落としたりすると、ペン先を損傷してしまうことがある。
また、ペンをポケットなどに格納する際にポケット縁部を軸本体との間に挟持するクリップが設けられているが、多くはプラスチックなどの成形されているために、過度に曲げた場合に破損してしまう場合がある。このクリップを固定部と可動部に分割し、両者の間に蝶番を配し、バネ部材を用いて常時は可動部を固定部と１８０度の位置にあるように構成したものがある。
【０００３】
【特許文献１】
登録新案登録第３０１２４４３号登録実用新案公報（第３−５頁、図１、２）
【発明が解決しようとする課題】
上記公報に記載されたものでは、フックの可動部が固定部に対して蝶番によって回動できるようになっているが、ペン先の損傷防止の機能は備えていない。
【０００４】
本願発明は上記従来の問題点に鑑みなされたものである。すなわち、本願発明の課題は、筆記状態での筆記体の損傷を防止すると共に、フックの利便性を増し、且つその損傷を防止することも可能な筆記具を提供することである。
【０００５】
【課題を解決するための手段】
上記課題を解決するために本発明の筆記具においては、筆記体に一体移動可能に連結されたノック体にフックを一体的に形成し、このフックに、その長手方向の中間部に弾性変形可能な中間部を設け、フックの先端部と軸本体の外周上には、フックが軸本体の先端側所定の位置まで移動したときに互いに係合し、フックが軸本体の後端側へ移動するのを阻止し、該係合を外すことにより、フックの軸本体の後端側への移動を許容する係止手段を設けた。従って、筆記体先端に作用する衝撃あるいは過度な力を中間部が弾性変形することにより吸収することができる。
【０００６】
【発明の実施の形態】
以下、本願発明の具体的実施の形態を、ボールペンを例として、図面を参照して説明するが、本願発明の範囲がそれに限定されるものではない。
【０００７】
図１は本願発明の実施の形態に係るボールペン１の断面図である。図において符合３は中空の軸本体であり、略円筒状の本体５と、本実施の形態では、図中左側となるその先端側に取付けられた、別体に成形され、先端に向かって漸次径が小さくなる先端カバー７とで構成されている。
【０００８】
軸本体３内には、後端側にリフィル１１が取付けられた、筆記体としてのチップ９が配置され、後述のノック体１５を操作することにより、その先端がカバー体７先端の孔８から出入りするようになっている。そしてリフィル１１の後端部１２は、軸本体３の後端部に配置されたノック体１５の先端側から所定の深さに形成された取付け孔２３に挿入固定されている。
【０００９】
ノック体１５は、軸本体３の本体５の貫通孔６の径より大きい外径を有する本体部１７と、本体部１７から後方へ延びるノック部１９と、本体部１７から軸本体３の本体５の貫通孔６内へ延びているガイド部２１とを備え、取付け孔２３はこのガイド部２１に形成されている。従ってチップ９とノック体１５とは一体的に移動する。符合２５は圧縮バネで、カバー体７の先端側の平らな内面７ａと、リフィル１１の長手方向中間位置に形成された径の大きい膨出部１３との間に配設され、チップ９、リフィル１１、ノック体１５の組立体を図中右方向へ付勢している。
【００１０】
ノック体１５のガイド部２１には所定の位置に径方向外方へ突出するガイド突起２４が形成され、これが軸本体３の本体５に形成された軸方向へ所定の長さで延びるガイド孔５ａに嵌り、ノック体１５の回転を阻止すると共に、軸方向の移動を案内し、且つ所定の範囲に制限している。
【００１１】
ノック体１５には、フック２７が一体に設けられている。フック２７はノック体１５の本体部１７から軸本体３に沿ってその先端側へ、軸本体３の円周方向でガイド孔５ａに対応する位置で、軸方向所定の長さで延びている。
【００１２】
フック２７は、ノック体１５の本体１７から延びる基部２９と、先端の先端部３３とそれらの中間の中間部３１からなっている。そして基部２９と先端部３３とはノック体１５と同じプラスチック材料で形成されているが、中間部３１は弾性の有るエラストマーで成形されている。
【００１３】
このフック２７を備えたノック体１５はいわゆる２色成形で作ることが出来るが、製法はそれに限定されるものではなく、別体に成形したものを接着するなどしても良い。本実施の形態では図２に示されるように、中間部３１はその両端部に先端側が広がった突起３１ａ、３１ｂが形成され、この突起３１ａ、３１ｂがそれぞれ基部２９、先端部３３に対応して形成された切欠き３１ａ、３３ａに嵌り、結合を確実なものとしている。この構成に代わって他の実施の形態では、例えば図３に示されるように、中間部３７をコイルバネで形成し、その両端部を、基部３５、先端部３９にそれぞれ形成された突起３５ａ、３９ａに嵌めて固定しても良い。
【００１４】
フック２７の先端部３３の軸本体３に面する側と、軸本体３の本体５の外周面には、図示のように互いに係合可能な突起４１、４３がそれぞれ設けられている。
【００１５】
図１に示されているのは、ノック１５を押してチップ９の先端を軸本体３の先端から突出させた状態で、この時フック側２７側の突起４１は軸本体３の後端側から移動して軸本体３側の突起４３を乗り越えてその左側に位置している。この時、前述のバネ２５の作用によりノック体１５は図中右側へ向かって付勢されているが、突起４１が突起４３に当接し、図中右側への移動を阻止され、チップ９が突出した状態を維持している。
【００１６】
この状態で例えば指先でフック２７の先端を持上げると、フック２７側の突起４１が軸本体３側の突起４３との係合から外れ、バネ２５の力によって右側へ移動する。そしてガイド突起２４がガイド孔５ａの図中右側端部に当たってその位置に保持されることとなる。この状態においてチップ９の先端は軸本体３の中へ入り込んでいる。再度ノック体１５を押せば、フック２７の突起４１が軸本体３の突起４３を乗り越えて移動し、前述したようにその位置で保持され、筆記することが出来る。
【００１７】
【発明の効果】
以上説明した通り、本発明の筆記具においては、チップと一体的に移動するノック体にフックを一体に形成し、該フックの長手方向での中間部を弾性材料で構成するなどして弾性変形可能にしたので、チップ先端を軸本体から出した状態で、誤って落とした場合にも、チップ先端に作用する衝撃がこの弾性変形可能な中間部により吸収され、チップの損傷が防止できる。
【００１８】
また、使用する人によりチップ先端に作用する筆記圧が異なり、かなり高い筆記圧で使用する人もいる。その場合にその高い筆記圧によりチップが損傷してしまう可能性があるが、この場合にも本発明によれば過度な筆記圧は中間部により吸収され、損傷が防止される。
【００１９】
さらに、中間部が弾性変形可能であるので、チップを出した状態のままこの筆記具をポケットに仕舞い、フックをポケット縁部に挟もうとすると、係止手段が外れ、チップが軸本体内に格納される。従って、衣服を汚すこともない。
【００２０】
さらには、フックに過度の力が作用しても中間部が弾性変形するので、フック自体が破損してしまうこともない。
【図面の簡単な説明】
【図１】本発明の具体的実施の形態に係るボールペンの断面図である。
【図２】フックの構成を示す部分平面図である。
【図３】他の実施の形態に係るフックの構成を示す部分平面図である。
【符号の説明】
１  ボールペン（筆記具）
３  軸本体
９  チップ（筆記体）
１１  リフィル
１５  ノック体
２５  バネ
２７  フック
２９  基部
３１  中間部
３３  先端部
４１  フック側突起
４３  軸本体側突起
【図１】
2004195768.tif 000003
【図２】
2004195768.tif 000004
【図３】
2004195768.tif 000005